【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】
コンピュータユーザインターフェース用の相対ポインティングデバイスにおいて自動較正を実行する方法であって、
該コンピュータユーザインターフェースは、
ユーザによる操作用のスティック制御と、
センサ表面であって、該センサ表面上の様々な接触位置においてＸ電気信号値とＹ電気信号値とを有するセンサ表面と、
該センサ表面が接触する場合もしない場合もある接触表面と、
該センサ表面に沿った接触位置間の移動に対して該スティック制御を介して該ユーザによって作動される接触と
を有し、
該スティック制御は、ユーザがカーソルの移動がないことを期待する中央ポインティング位置であって、該中央ポインティング位置におけるＸ電気信号値とＹ電気信号値とを有する中央ポインティング位置と、該中央ポインティング位置から変位された位置であって、該変位の方向に対応する方向に該変位の大きさに対応するスピードで該カーソルを移動させる、位置とを有し、
該センサ表面および接触は、センサ面上の該接触の位置に対する一対のＸ電気信号値およびＹ電気信号値を出力し、
該相対ポインティングデバイスの自動較正を実行する方法は、
ａ．該接触表面と該センサ表面とを接触させるステップと、
ｂ．該接触が初めて確立された時点における該Ｘ電気信号値と該Ｙ電気信号値とを記録することによって、Ｘ中央値とＹ中央値とを決定するステップと、
ｃ．次の時点における該センサ表面への接触の位置に対する現Ｘ電気信号値と現Ｙ電気信号値とを決定するステップと、
ｄ．該現Ｘ電気信号値と該現Ｙ電気信号値とから該記録されたＸ中央値と該記録されたＹ中央値とを減算することによって、該次の時点において該相対ポインティングデバイスを較正するステップと
を包含する、方法。
【請求項２】
ａ．前記センサ面の下に横たわるドーム型スイッチを提供するさらなるステップと、
ｂ．前記接触がはじめて確立された時点における前記Ｘ値と前記Ｙ値とを記録することと、その後、該接触が該センサ面と係合している所定時間内に該ドーム型スイッチの閉止が生じた場合、および、その場合にのみ、該Ｘ値と該Ｙ値とを前記Ｘ中央値と前記Ｙ中央値として用いることとによって、該Ｘ中央値と該Ｙ中央値とを決定するさらなるステップと、
ｃ．該ドーム型スイッチの閉止が該所定時間を越えると、該Ｘ中央値と該Ｙ中央値とを採用しないさらなるステップと
を包含する、請求項１に記載のコンピュータユーザインターフェース用の相対ポインティングデバイスにおいて自動較正を実行する方法。
【請求項３】
ａ．カーソルの移動を提供しない前記中央ポインティング位置にポインタがあるときに前記センサ表面と相互作用するように前記接触表面上に中央接触スイッチを提供するさらなるステップと、
ｂ．前記接触がはじめて確立された時点における前記Ｘ値と前記Ｙ値とを記録することと、その後、該中央接触スイッチが接触していた場合、および、その場合にのみ、該Ｘ値と該Ｙ値とを前記Ｘ中央値と前記Ｙ中央値として用いることとによって、該Ｘ中央値と該Ｙ中央値とを決定するさらなるステップと、
を包含する、請求項１に記載のコンピュータユーザインターフェース用の相対ポインティングデバイスにおいて自動較正を実行する方法。
【請求項４】
ａ．複数の較正ステップを平均化して、前記コンピュータインターフェースにポインティングバイアスを提供しない前記相対ポインティングデバイスの位置を決定するさらなるステップを包含する、請求項１に記載のコンピュータユーザインターフェース用の相対ポインティングデバイスにおいて自動較正を実行する方法。
【請求項５】
コンピュータユーザインターフェース用の相対ポインティングデバイスにおいて自動較正を実行する装置であって、
該装置は、
ａ．接触表面と、
ｂ．該接触表面と接触する場合もしない場合もあるセンサ表面であって、該センサ表面は、接触している場合には該センサ表面上の様々な接触位置においてＸ電気信号とＹ電気信号とを有し、該センサ表面および接触は、センサ面上の該接触位置に対する一対のＸ電気信号値およびＹ電気信号値を出力する、センサ表面と、
ｃ．ユーザによる操作用のスティック制御であって、該スティック制御は、ユーザがカーソルの移動がないことを期待する中央ポインティング位置であって、該中央ポインティング位置におけるＸ電気信号値とＹ電気信号値とを有する中央ポインティング位置と、該中央ポインティング位置から変位された位置であって、該変位の方向に対応する方向に該変位の大きさに対応するスピードで該カーソルを移動させる、位置とを有する、スティック制御と、
ｄ．該センサ表面に沿った接触位置間の移動に対して該スティック制御を介して該ユーザによって作動される接触と、
ｅ．該センサ面上の該接触の位置に対する該Ｘ電気信号と該Ｙ電気信号とを生成する手段であって、該中央ポインティング位置は、中央Ｘ電気信号値と中央Ｙ電気信号値とを有し、該ユーザは該カーソルの移動がないことを期待する、手段と、
ｆ．該スティック制御の変位の方向に対応する方向に該変位の大きさに対応するスピードで該カーソルを移動させる手段と、
ｇ．該接触表面と該センサ表面とを接触させる手段と、
ｈ．該接触が初めて確立された時点における該Ｘ電気信号値と該Ｙ電気信号値とを記録する手段を用いて、Ｘ中央値とＹ中央値とを決定する手段と、
ｉ．次の時点における該センサ面への接触の位置に対する現Ｘ電気信号値と現Ｙ電気信号値とを決定する手段と、
ｊ．該現Ｘ電気信号値と該現Ｙ電気信号値とから該記録されたＸ中央値と該記録されたＹ中央値とを減算することによって、該次の時点において該相対ポインティングデバイスを較正する手段と
を備える、装置。
【請求項６】
前記センサ面の下に横たわるドーム型スイッチと、
前記接触がはじめて確立された時点における前記Ｘ値と前記Ｙ値とを記録することと、その後、該接触が該センサ面と係合している所定時間内に該ドーム型スイッチの閉止が生じた場合、および、その場合にのみ、該Ｘ値と該Ｙ値とを前記Ｘ中央値と前記Ｙ中央値として用いることとによって、該Ｘ中央値と該Ｙ中央値とを決定し、該ドーム型スイッチの閉止が該所定時間を越えると、該Ｘ中央値と該Ｙ中央値とを採用しない手段と
をさらに備える、請求項５に記載の装置。
【請求項７】
ａ．カーソルの移動を提供しない前記中央ポインティング位置にポインタがあるときに前記センサ表面と相互作用する前記接触表面上の中央接触スイッチと、
ｂ．前記接触がはじめて確立された時点における前記Ｘ値と前記Ｙ値とを記録することと、その後、該中央接触スイッチが接触していた場合、および、その場合にのみ、該Ｘ値と該Ｙ値とを前記Ｘ中央値と前記Ｙ中央値として用いることとによって、該Ｘ中央値と該Ｙ中央値とを決定する手段と
をさらに備える、請求項５に記載の装置。
【請求項８】
複数の較正ステップを平均化して、前記コンピュータインターフェースにポインティングバイアスを提供しない前記相対ポインティングデバイスの位置を決定する手段をさらに備える、請求項５に記載の装置。
【請求項９】
相対ポインティングデバイスにおいて自動較正を実行する方法であって、
接触表面と、
接触力に結合されたセンサ表面と、
該センサ表面と該接触表面との間の選択可能接触点であって、該選択可能接触点は接触場所に依存するＸ電気信号値とＹ電気信号値とを有し、中央接触場所がある、選択可能接触点と
を有しており、該相対ポインティングデバイスの自動較正を実行する方法は、
１．該接触力を加えて、該中央接触場所の実質的に近傍において該センサ表面と該接触表面とを接触させるステップと、
２．該実質的な中央場所に対する第１Ｘ電気信号値と第１Ｙ電気信号値とを格納するステップと、
３．第２の接触点における第２Ｘ電気信号値と第２Ｙ電気信号値とを格納するステップと、
４．該第２Ｘ電気信号値と該第２Ｙ電気信号値とから該第１Ｘ電気信号値と該第１Ｙ電気信号値とを減算することによって、該相対ポインティングデバイスを較正するステップと
を包含する、方法。